(57)【特許請求の範囲】
【請求項１】
表側台紙および裏側台紙の間にカードを収納することのできるカード容器であって、
容器の中央部分にはカードが収納される領域を設けてあり、
表側および裏側台紙には、対向する同位置に直線の開封用折り目線が設けてあり、この開封用折り目線は、容器の一辺から斜めに直線状に伸びており、
表側または裏側台紙には、連続したミシン目が、カードが収納される領域から開封用折り目線と交差して、一旦外側に伸びた後、開封用折り目線と平行になった後、再び開封用折り目線と交差して、カードが収納される領域に戻る形で形成されており、
カードが収納される領域以外で、表側台紙と裏側台紙とが互いに接着されていることを特徴とするカード容器。
【請求項２】
前記開封用折り目線が、容器の一辺から、隣の辺に向かって伸びて到達していることを特徴とする請求項１に記載のカード容器。
【請求項３】
表側台紙および裏側台紙が、折りたたみ線を介して連続した一枚の台紙からなることを特徴とする請求項１または請求項２に記載のカード容器。
【請求項４】
カードが収納される領域が、台紙に凹部を設けてなることを特徴とする請求項１〜請求項３のいずれかに記載のカード容器。
【請求項５】
カード容器の上部に、つり下げ用の穴を設けてあることを特徴とする請求項１〜請求項４のいずれかに記載のカード容器。
【請求項６】
表側台紙または裏側台紙の、カードが収納される領域の一部に、透視窓が設けてあることを特徴とする請求項１〜請求項５のいずれかに記載のカード容器。
【発明の詳細な説明】
【技術分野】
【０００１】
本発明はカード容器に関するものである。とくに商品としてのカードまたはカード状の商品を収納して陳列、販売し消費者が購入して後、あるいはカードが消費者の手元に届いて後、カードを容器から取り出す際には容易に取り出すことのできるカード容器に関するものである。
【背景技術】
【０００２】
現代社会は様々な分野で、様々な目的、機能を有したカード、あるいは商品としてのカードが普及しており、使用されている。カードが他の商品券、クレジットカードやプリペイドカード、会員カードやポイントカードなど、すでに日常生活にカードは不可欠なものとなっている。とくに最近では、電子マネーといった商品もさまざまなタイプのものが普及しはじめており、コンビニエンスストアなどに専用の陳列棚が設けられている。
【０００３】
カードは多くの場合、たとえばプリペイドカードや電子マネーのように金銭と同様の価値を有するものもあり、慎重な取り扱いが要求される。また万一流通過程や消費者の手元に届く前に開封されて情報を盗まれたり、さらには改竄されたりすることのリスクをどう回避するかが、課題として検討されているところでもあり、容器としてどのような対策を講じるかが、商品化において重要な課題となっている。
【０００４】
かといって容器を単に厳重にするだけでは、容器の開封に刃物などを用いて切り裂いて開口部を作ることも可能ではあるが、煩雑さに加えて怪我などの危険が伴う上、内容物のカードに損傷を与える危険もあって、消費者に不便を強いるものである。加えて、コスト面でもかけられる費用には限界があるのが実情である。
【０００５】
また、たとえば特許文献には、折り目線の外側で裏台紙内の開口用切り込み部の先端部分が切れ目線からなる容器が示されているが、このような容器では容器を撓ませるなどした場合に切れ目線が浮き上がるため、たとえば流通過程などにおいて切れ目線が引っかかるなどして開封してしまう恐れがあった。
【先行技術文献】
【特許文献】
【０００６】
【特許文献１】特開２０１０−２８５１５４号公報
【発明の概要】
【発明が解決しようとする課題】
【０００７】
本発明はかかる状況に鑑みてなされたものであり、カードを台紙で挟んだ状態の容器で保護することができ、開封および取出しが容易なカード容器を提供することを課題とするものである。
【課題を解決するための手段】
【０００８】
上記の課題を解決するための手段として、表側台紙および裏側台紙の間にカードを収納することのできるカード容器であって、
容器の中央部分にはカードが収納される領域を設けてあり、
表側および裏側台紙には、対向する同位置に直線の開封用折り目線が設けてあり、この開封用折り目線は、容器の一辺から斜めに直線状に伸びており、
表側または裏側台紙には、連続したミシン目が、カードが収納される領域から開封用折り目線と交差して、一旦外側に伸びた後、開封用折り目線と平行になった後、再び開封用折り目線と交差して、カードが収納される領域に戻る形で形成されており、
カードが収納される領域以外で、表側台紙と裏側台紙とが互いに接着されていることを特徴とするカード容器である。
【００１０】
また、請求項２に記載の発明は、前記開封用折り目線が、容器の一辺から、隣の辺に向かって伸びて到達していることを特徴とする請求項１に記載のカード容器である。
【００１１】
また、請求項３に記載の発明は、表側台紙および裏側台紙が、折りたたみ線を介して連続した一枚の台紙からなることを特徴とする請求項１または請求項２に記載のカード容器である。
【００１２】
また、請求項４に記載の発明は、カードが収納される領域が、台紙に凹部を設けてなることを特徴とする請求項１〜請求項３のいずれかに記載のカード容器である。
【００１３】
また、請求項５に記載の発明は、カード容器の上部に、つり下げ用の穴を設けてあることを特徴とする請求項１〜請求項４のいずれかに記載のカード容器である。
【００１４】
また、請求項６に記載の発明は、表側台紙または裏側台紙の、カードが収納される領域の一部に、透視窓が設けてあることを特徴とする請求項１〜請求項５のいずれかに記載のカード容器である。
【発明の効果】
【００１５】
本発明はかかる状況に鑑みてなされたものであり、カードを台紙で挟んだ状態の容器で保護することができ、開封および取出しが容易なカード容器を提供することが可能である。
【００１６】
とくに請求項２に記載の発明によれば、開封に際してよりつまみ部をつかみ易いカード容器を提供することが可能である。
【００１７】
とくに請求項３に記載の発明によれば、開封に際してよりつまみ部をつかみ易いカード容器を提供することが可能である。
【００１８】
とくに請求項４に記載の発明によれば、より生産しやすいカード容器を提供することが可能である。
【００１９】
とくに請求項５に記載に発明によれば、よりカードを収納しやすいカード容器を提供することが可能である。
【００２０】
とくに請求項６に記載の発明によれば、より展示しやすいカード容器を提供することが可能である。
【００２１】
とくに請求項７に記載に発明によれば、より内容物のカードを確認しやすいカード容器を提供することができる。
【図面の簡単な説明】
【００２２】
【図１】図１は本発明に係るカード容器の、一実施形態を説明するための平面展開模式図である。
【図２】図２は本発明に係るカード容器の、他の実施形態を説明するための平面展開模式図である。
【発明を実施するための形態】
【００２３】
以下本発明を実施するための形態について、図を参照しながら詳細な説明を加える。ただし本発明はこれらの例にのみ限定されるものではない。
【００２４】
図１は本発明に係るカード容器の、一実施形態を説明するための平面展開模式図である。本発明によるカード容器（２０）は、表側台紙（７）および裏側台紙（８）の間にカードを収納することのできるカード容器である。カードが収納される領域（４）は容器の中央部分に設けてあり、カードを収納しやすいよう、台紙に凹部を設けて形成することができる。
【００２５】
ここに示した例では、表側台紙（７）には開封用折り目線（２）が設けてあり、裏側台紙には対向する同位置に、開封用折り目線（１）が設けてある。これらは折りたたみ線（９）で、折りたたみ方向（１１）に折りたたんでカード容器を形成する際には、位置が一致するように設けられる。開封用折り目線は、カード容器の側辺の１箇所から、斜め上向かって直線で向かって伸び、カード容器の上辺に達している。
【００２６】
カード容器の開封に際しては、この開封用折り目線を、つまみ部（１０）を外側にして折り曲げることによって、つまみ部（１０）のミシン目が切れて、つまみ部（１０）を手指でつまむことができるようになり、つづいてつまみ部（１０）を引っ張って、ミシン目（３）に沿って、カード台紙（２０）を切り裂くことができる。こうして開口部を大きくとることができ、内容物のカードを容易に取り出すことができる。
【００２７】
ミシン目（３）は、カードが収納される領域（４）から裏側台紙の開封用折り目線（１）と交差して、一旦外側に伸びた後、開封用折り目線（１）と平行になってつまみ部（１０）を形成した後、再び開封用折り目線（１）と交差して、カードが収納される領域（４）に戻る形で形成されている。
【００２８】
本発明は、表側台紙（７）および裏側台紙（８）の間にカードを収納することのできるカード容器であり、カードが収納される領域（４）以外で、表側台紙（７）と裏側台紙（８）とは互いに接着されている。
【００２９】
カードが収納される領域（４）は、台紙に凹部を設けて形成することができる。これによって、カードを収納した際にもカード容器が膨らんだり反ったりすることを避けることができる。またカード容器の上部に、つり下げ用の穴を設けることができる。これによって、販売や展示において吊り下げることができ、好都合である。
【００３０】
表側台紙（７）または裏側台紙（８）の、カードが収納される領域（４）の一部に、透視窓（５）を設けることができる。図１に示した例では裏側台紙に設けてあるため、容器裏側から内容物のカードを透視して見ることができる。透視窓は表側台紙に設けることもできる。
【００３１】
図２は本発明に係るカード容器の、他の実施形態を説明するための平面展開模式図である。ここに示した例では、表側台紙（７）と裏側台紙（８）は別々であって、連続していないが、連続している場合と同様に重ね合わせて両者を接着すればよい。
【００３２】
またここに示した例では、開封用折り目線（１）および開封用折り目線（２）は、カード容器の側辺の１箇所から、対向するもうひとつの辺に向かって伸びて到達している。
また、ミシン目（３）のつまみ部（１０）は、開封用折り目線と平行になる部分であって、開封時には開封用折り目線を折ってつまみ部（１０）のミシン目を切り、つまみ部（１０）をつまんでカード容器の上から下に引きおろす形で開口部を作ることができる。
【００３３】
このようにして、カードを台紙で挟んだ状態の容器で保護することができ、開封および取出しが容易なカード容器を提供することが可能である。
【符号の説明】
【００３４】
１・・・開封用折り目線
２・・・開封用折り目線
３・・・ミシン目
４・・・カードが収納される領域
５・・・透視窓
６・・・つり下げ用の穴
７・・・表側台紙
８・・・裏側台紙
９・・・折りたたみ線
１０・・・つまみ部
１１・・・折りたたみ方向
２０・・・カード容器
【図１】
0006710912.tif 000002
【図２】
0006710912.tif 000003